(57)【要約】      （修正有）【課題】平滑な塗装面に微妙な凹凸を有する吹き付け模様を容易に再現可能なスプレーガンを提供する。【解決手段】内部混合方式により塗料及び圧縮空気を噴霧する塗料ノズル２０と、この塗料ノズル２０の周囲に設けられ、圧縮空気を噴霧するリング状スリット１７ｅと、を備え、塗料ノズル２０から噴霧される塗料及び圧縮空気を、更に外部混合方式でリング状スリット１７ｅから噴霧される圧縮空気と混合させた状態で噴霧させることを特徴とする。塗料ノズル２０は、内部に空気ノズル２０ｂを備えており、塗料ノズル２０の先端側内部で圧縮空気と塗料を混合させて噴霧する。ノズル本体の先端にネジ締結される空気キャップ１７を備え、この空気キャップ１７に塗料ノズル２０の先端部を挿入する挿入孔が形成され、この挿入孔の内径部と塗料ノズル２０の外径部との隙間によりリング状スリット１７ｅが形成される。【選択図】図３
0003156313.tif 000002
【実用新案登録請求の範囲】
【請求項１】
内部混合方式により塗料及び圧縮空気を噴霧する塗料ノズルと、
この塗料ノズルの周囲に設けられ、圧縮空気を噴霧するリング状スリットと、を備え、
塗料ノズルから噴霧される塗料及び圧縮空気を、更に外部混合方式でリング状スリットから噴霧される圧縮空気と混合させた状態で噴霧させることを特徴とするスプレーガン。
【請求項２】
前記塗料ノズルは、内部に空気ノズルを備えており、塗料ノズルの先端側内部で圧縮空気と塗料を混合させて噴霧することを特徴とする請求項１に記載のスプレーガン。
【請求項３】
ノズル本体の先端にネジ締結される空気キャップを備え、この空気キャップに塗料ノズルの先端部を挿入する挿入孔が形成され、この挿入孔の内径部と塗料ノズルの外径部との隙間により前記リング状スリットが形成されることを特徴とする請求項１又は２に記載のスプレーガン。
【考案の詳細な説明】
【技術分野】
【０００１】
本考案は、塗料を噴霧するスプレーガンに関するものである。
【背景技術】
【０００２】
かかるスプレーガンは、例えば、自動車補修におけるチッピングコートの新車の吹き付け模様を再現するために用いられている。一般的に、スプレーガンには内部混合方式と外部混合方式とがある。図５及び図６に、各方式におけるスプレーガンの構造と吹き付け模様を示す。
【０００３】
図５（ａ）は内部混合方式のスプレーガンの主要部の構成を示し、（ｂ）は吹き付け模様の断面図、（ｃ）は吹き付け模様の平面図を示す。塗料ノズル１の内部に空気ノズル２が配置されている。空気ノズル２の外径部と塗料ノズル１の内径部の間に塗料の通路が形成されている。空気ノズル２の先端２ａから圧縮空気を噴霧することで、塗料が吸い出され塗料ノズル１の先端側内部で圧縮空気と塗料が混合し、塗料ノズル１の先端１ａから塗料と圧縮空気が噴霧される。内部混合方式のスプレーガンとしては、例えば、下記特許文献１にも開示されている。
【０００４】
図６（ａ）は外部混合方式のスプレーガンの主要部の構成を示し、（ｂ）は吹き付け模様の断面図、（ｃ）は吹き付け模様の平面図を示す。塗料ノズル１の先端１ａの周囲には、リング状スリット３が形成され、圧縮空気が噴霧される。従って、塗料ノズル１から塗料が噴霧された直後に塗料と圧縮空気が混合した状態で噴霧される。外部混合方式のスプレーガンとしては、例えば、下記特許文献２にも開示されている。
【先行技術文献】
【特許文献】
【０００５】
【特許文献１】特開平８−１３１９０６号公報
【特許文献２】特開平８−２１５６１５号公報
【考案の概要】
【考案が解決しようとする課題】
【０００６】
内部混合方式のスプレーガンは、図５（ｂ）（ｃ）に示すように、高粘度塗料の場合、塗料を吸い出す力は強いが、吹き出した塗料が粒状に表れるという特性を有している。外部混合方式のスプレーガンは、図６（ｂ）（ｃ）に示すように、塗料を吸い出す力が弱く、塗料を霧化するという特性を有している。塗装を行う場合に、図５，図６に示すような吹き付け模様ではなく、図３（ｂ）（ｃ）に示すような吹き付け模様を再現したいという要望もある。この吹き付け模様は、平滑な塗装面に微妙な凹凸を有する模様であるが、かかる模様を従来構造のスプレーガンでは簡単に再現することが難しかった。
【０００７】
本考案は上記実情に鑑みてなされたものであり、その課題は、平滑な塗装面に微妙な凹凸を有する吹き付け模様を容易に再現可能なスプレーガンを提供することである。
【課題を解決するための手段】
【０００８】
上記課題を解決するため本考案に係るスプレーガンは、
内部混合方式により塗料及び圧縮空気を噴霧する塗料ノズルと、
この塗料ノズルの周囲に設けられ、圧縮空気を噴霧するリング状スリットと、を備え、
塗料ノズルから噴霧される塗料及び圧縮空気を、更に外部混合方式でリング状スリットから噴霧される圧縮空気と混合させた状態で噴霧させることを特徴とするものである。
【０００９】
この構成によるスプレーガンの作用・効果を説明する。本考案に係るスプレーガンは、内部混合方式と外部混合方式をミックスした形態を有している。すなわち、塗料ノズルと、この塗料ノズルの周囲に設けられるリング状スリットを備えている。塗料ノズルは内部混合方式により、内部で圧縮空気と塗料を混合させてから噴霧させる。塗料ノズルから噴霧される圧縮空気と塗料は、更に、その外側にあるリング状スリットから噴霧される圧縮空気と混合される。内部混合方式によれば、塗料ノズルから噴霧される塗料は粒状であるが、塗料ノズルの更に外側から圧縮空気を噴霧することで、粒状の塗料をより細かな状態にすることができ、図３（ｂ）（ｃ）に示すような吹き付け模様を容易に形成することができる。
【００１０】
本考案において、前記塗料ノズルは、内部に空気ノズルを備えており、塗料ノズルの先端側内部で圧縮空気と塗料を混合させて噴霧することが好ましい。
【００１１】
塗料ノズルの内部に空気ノズルを備えていることで、空気ノズルから噴霧される圧縮空気により塗料を吸出し塗料ノズルの先端側の内部で圧縮空気と塗料を混合させてから噴霧させることができる。
【００１２】
本考案において、ノズル本体の先端にネジ締結される空気キャップを備え、この空気キャップに塗料ノズルの先端部を挿入する挿入孔が形成され、この挿入孔の内径部と塗料ノズルの外径部との隙間により前記リング状スリットが形成されることが好ましい。
【００１３】
空気キャップはノズル本体の先端にネジ締結され、その中心部には塗料ノズルの先端部を挿入する挿入孔が形成される。この挿入孔と塗料ノズルの間に形成されるリング状スリットから、圧縮空気を噴霧させることができる。すなわち、塗料ノズルから噴霧される圧縮空気と塗料に対して、更に、外側から圧縮空気を混合させることができる。これにより、塗料ノズルから噴霧される粒状の塗料を霧化する方向に作用させると共に、塗料ノズルから噴霧される塗料が四方八方に広がろうとするのを抑制し、塗装面に真っ直ぐに塗料を向かわせることができる。
【図面の簡単な説明】
【００１４】
【図１】本実施形態にかかるスプレーガンの外観構成を示す図
【図２】ノズル本体の先端部の構成を示す分解斜視図
【図３】本考案に係るスプレーガンの主要部の構造と吹き付け模様を示す図
【図４】内部混合方式とハイブリッド方式を比較して示す図
【図５】内部混合方式のスプレーガンの構造と吹き付け模様を示す図
【図６】外部混合方式のスプレーガンの構造と吹き付け模様を示す図
【考案を実施するための形態】
【００１５】
本考案に係るスプレーガンの好適な実施形態を図面を用いて説明する。図１は、スプレーガンの外観構成を示す図である。
【００１６】
図１において、スプレーガンは全体的にピストル形状を有している。ノズル本体１０の握り部下方に空気ニップル１１が設けられ、空気量調整装置１２により導入される空気量を調節できる。引き金１３を引くことで、内部の空気弁を開けて塗料を噴霧させることができる。塗料噴出量調整装置１４は、ノズル本体１０内部にあるニードル弁の動きを加減して塗料の噴出量を調節することができる。パターン開き調整装置１５は、塗料の塗り幅を調節するための装置である。
【００１７】
塗料ニップル１６（実際は紙面の裏側にある）は、塗料をノズル本体内に供給するためのものであり、不図示の塗料容器と接続される。ノズル本体１０の先端には空気キャップ１７が設けられ、締め付けリング１８によりネジ締結される。
【００１８】
図２は、ノズル本体１０の先端部１０ａの構成を示す分解斜視図である。先端部１０ａには、塗料ノズル２０が設けられており、その先端部２０ａから塗料と圧縮空気の混合物が噴霧される。塗料ノズル２０の周囲にはリング状の平面部２１が形成され、その平面部２１に空気孔１９が形成されている。
【００１９】
空気キャップ１７には、点対称的に一対の突出部１７ｂが設けられており、この突出部１７ｂの内径側には空気孔１７ｃが設けられている。ノズル本体１０の空気孔１９から噴出された圧縮空気は、この空気孔１７ｃから半径内側方向に向けて噴出される。空気キャップ１７を先端部１０ａに締結した時に、平面部２１と空気キャップ１７の裏面側には空気通路が形成された状態で結合されるので、この空気通路を通って空気孔１７ｃから圧縮空気が噴霧される。空気キャップ１７の中心部には挿入孔１７ｄが形成され、塗料ノズル２０の先端部２０ａが挿入される。
【００２０】
締め付けリング１８は、その内部に雌ねじが形成され、ノズル本体１０の先端部１０ａに形成された雄ねじ１０ｂに螺合する。締め付けリング１８により、空気キャップ１７を締結した時、挿入孔１７ｄの内径部と、塗料ノズル２０の先端部２０ａの周囲との間にリング状スリット１７ｅ（図３参照）が形成され、このスリットからも空気孔１９を介して送り込まれた圧縮空気が噴出される。
【００２１】
図３は、スプレーガンの主要部の構造と吹き付け模様を示す図である。図３（ａ）は主要部の断面構造を示し、（ｂ）は吹き付け模様の断面図、（ｃ）は吹き付け模様の平面図を示す。塗料ノズル２０は、その内部に空気ノズル２０ｂを備えている。空気ノズル２０ｂは、引き金１３と連動しており、引き金１３を引くことで空気ノズル２０ｂが後退（図３の左側に移動）し、空気ノズル２０ｂの先端から圧縮空気が噴霧される。空気ノズル２０ｂから圧縮空気が噴霧されると、負圧が発生し塗料が吸い出される。塗料ノズル２０の先端側内部において、空気ノズル２０ｂの先端外側の空間は、混合室として機能し、圧縮空気と塗料が混合し、塗料ノズル２０の先端部２０ａからは、圧縮空気と塗料の混合物が噴霧される。すなわち、塗料ノズル２０からは内部混合方式により塗料が噴霧される。
【００２２】
また、塗料ノズル２０の先端部２０ａの周囲にはリング状スリット１７ｅが形成されており、このリング状スリット１７ｅからも圧縮空気が噴霧される。従って、塗料ノズル２０から噴霧された塗料は、再び圧縮空気と混合され、この混合方式は外部混合方式である。従って、本考案に係るスプレーガンは、内部混合方式と外部混合方式を組み合わせたハイブリッド方式である。このハイブリッド方式による吹き付け模様を図３（ｂ）（ｃ）に示している。高粘度の塗料の場合、内部混合方式だと、吸い出した塗料が粒状になり、平滑な塗装面に微妙な凹凸を有する吹き付け模を形成することは難しいが、ハイブリッド方式によれば微妙な凹凸を有する吹き付け模様を容易に再現することができる。
【００２３】
中粘度や低粘度の塗料の場合は、内部混合方式のスプレーガンでもある程度の霧化をすることができるが、本考案の構造によれば、高粘度の塗料においても容易に微妙な凹凸を形成できる点が特に優れている。
【００２４】
外部混合方式の場合は、塗料が霧化するため、塗装面に凹凸を形成することが難しい。ハイブリッド方式によれば、塗料ノズル２０から噴霧した粒状の塗料を外部混合方式により、ある程度、霧化させることができるため、微妙な凹凸を塗装面に形成できるようになる。
【００２５】
また、空気キャップ１７に設けられた一対の空気孔１７ｃからも圧縮空気が噴霧され、塗料ノズル２０から噴霧される圧縮空気と塗料の噴霧形状を整えることができる。通常は、塗料ノズル２０から噴霧される形状は断面円形であるが、これを楕円状に整えることもできる。噴霧形状は、パターン開き調整装置１５を調整することで形状を制御することができる。
【００２６】
図４は、内部混合方式とハイブリッド方式を比較して示す図である。内部混合方式の場合は、狭い塗料ノズル２０の先端部２０ａから噴霧された塗料は、四方八方に広がろうとする特性がある。従って、図４（ａ）に示すように、吹き付け距離Ｌをあまり長くすることができない。
【００２７】
一方、本考案によるハイブリッド方式の場合は、四方八方に広がろうとする塗料をリング状スリット１７ｅから噴霧する圧縮空気により押えることができ、塗料が広がらずに塗装面に向かわせることができる。従って、図４（ｂ）に示すように、吹き付け距離Ｌを長くすることができ、塗着効率が向上する。また、塗料自体が塗装面に向かってより遠くへ飛ぶことができ、離れた場所や手の入りにくい場所への塗装も可能になる。
【００２８】
本考案に係るスプレーガンは、図３（ｂ）（ｃ）に示すような吹き付け模様を形成することができるが、図５（ｂ）（ｃ）や図６（ｂ）（ｃ）に示すような吹き付け模様を形成することもできる。これは、空気量や塗料を調節することで、吹き付け模様を制御することができる。
【００２９】
＜別実施形態＞
本考案において使用される塗料については、特定の種類の塗料に限定されるものではない。すなわち、低粘度・中粘度・高粘度のいずれの塗料についても適用できるものである。
【００３０】
本実施形態において、塗料ノズル２０は中心に空気ノズルが設けられ、その周囲に塗料の通路が形成されているが、圧縮空気と塗料の通路を逆にしてもよい。
【符号の説明】
【００３１】
１０        ノズル本体
１０ａ      先端部
１７        空気キャップ
１７ｄ      挿入孔
１７ｅ      リング状スリット
１８        締め付けリング
１９        空気孔
２０        塗料ノズル
２０ａ      先端部
２０ｂ      空気ノズル
【図１】
0003156313.tif 000003
【図２】
0003156313.tif 000004
【図３】
0003156313.tif 000005
【図４】
0003156313.tif 000006
【図５】
0003156313.tif 000007
【図６】
0003156313.tif 000008